(57)【特許請求の範囲】
【請求項１】
複数の顔のデータに基づいてコンピュータグラフィックスで平均的な顔立ちと肌色、唇の色および瞳の色を有する平均顔を欧米人種、黒人種及びアジア人種の３人種毎に個別に作成し、この平均顔に口紅又はアイシャドーを塗布したときの評価を、平均顔を作成した人種毎に選択した複数の人へのアンケートによって求め、その結果を口紅又はアイシャドー別及び人種別に、口紅又はアイシャドーの明度及び色相のいずれかを縦軸とし、他方を横軸とした図表からなる色情報マップに作成し、該色情報マップを利用して口紅又はアイシャドーの人種別の似合う色の情報を求め、これにより得られた色の情報に基づいて口紅又はアイシャドーを選択するようにしたことを特徴とする口紅又はアイシャドーの選択方法。
【請求項２】
複数の顔のデータに基づいてコンピュータグラフィックスで平均的な顔立ちと肌色、唇の色および瞳の色を有する平均顔を欧米人種、黒人種及びアジア人種の３人種毎に個別に作成し、この平均顔に口紅又はアイシャドーを塗布したときの評価を、平均顔を作成した人種毎に選択した複数の人へのアンケートによって求め、その結果を口紅又はアイシャドー別及び人種別に、口紅又はアイシャドーの色によってもたらされるイメージを人種別の図表としたイメージ演出色情報マップを作成し、該イメージ演出色情報マップを利用して口紅又はアイシャドーの人種別のイメージ演出のための色の情報を求め、これにより得られた色の情報に基づいて口紅又はアイシャドーを選択するようにしたことを特徴とする請求項１記載の口紅又はアイシャドーの選択方法。
【請求項３】
色情報マップ及びイメージ演出色情報マップを、瞳の色別に作成したことを特徴とする請求項１又は２記載のアイシャドーの選択方法。
【発明の詳細な説明】
【０００１】
【発明の属する分野】
この発明は、ポイントメークアップ化粧料の選択方法に関し、特に顔立ち、顔の肌色及び瞳の色に調和するポイントメークアップ化粧料の選択方法に関する。
【０００２】
【従来の技術】
従来、口紅、アイシャドー等のポイントメークアップ化粧料は、顔にアクセントを与え、イメージを形成する上で効果のある化粧料であり、色彩、組成等が異なった非常に多くの品種が市場に提供され、化粧料の選択の幅は広がっている。このため、化粧料の購入に際してポイントメークアップ化粧料の選択、特に色彩の選択に困難を生じている。そこで、顔の肌色に調和するポイントメークアップ化粧料の選択方法が、特許第２８７２９１２号発明により提案されている。この発明は、ポイントメークアップ化粧料使用者の顔の肌とポイントメークアップ化粧料を測色し、両者の明度差を指標として、使用者の肌色の明度よりも低いポイントメークアップ化粧料を選択することを特徴としている。
【０００３】
しかしながら、かかる選択方法では、顔立ちや瞳の色に応じた化粧料の選択を行い得るような方法ではなく、従って、欧米人種、黒人種、アジア人種等の人種によって異なる顔立ちや瞳の色に合わせたポイントメークアップ化粧料の選択を行うことが出来ない不便さがある。
【０００４】
【発明が解決しようとする課題】
この発明は、顔立ち、肌の色および瞳の色に調和したポイントメークアップ化粧料の選択を行い得るようにすることを課題とするものである。
【０００５】
【課題を解決するための手段】
上記課題を解決するためにこの発明が採った手段は、複数の顔のデータに基づいてコンピュータグラフィックスで平均的な顔立ちと肌色、唇の色および瞳の色を有する平均顔を欧米人種、黒人種及びアジア人種の３人種毎に個別に作成し、この平均顔に口紅又はアイシャドーを塗布したときの評価を、平均顔を作成した人種毎に選択した複数の人へのアンケートによって求め、その結果を口紅又はアイシャドー別及び人種別に、口紅又はアイシャドーの明度及び色相のいずれかを縦軸とし、他方を横軸とした図表からなる色情報マップに作成し、該色情報マップを利用して口紅又はアイシャドーの人種別の似合う色の情報を求め、これにより得られた色の情報に基づいて口紅又はアイシャドーを選択するようにしたことを特徴とする。
【０００６】
複数の顔のデータに基づいてコンピュータグラフィックスで平均的な顔立ちと肌色、唇の色および瞳の色を有する平均顔を欧米人種、黒人種及びアジア人種の３人種毎に個別に作成し、この平均顔に口紅又はアイシャドーを塗布したときの評価を、平均顔を作成した人種毎に選択した複数の人へのアンケートによって求め、その結果を口紅又はアイシャドー別及び人種別に、口紅又はアイシャドーの色によってもたらされるイメージを人種別の図表としたイメージ演出色情報マップを作成し、該イメージ演出色情報マップを利用して口紅又はアイシャドーの人種別のイメージ演出のための色の情報を求め、これにより得られた色の情報に基づいて口紅又はアイシャドーを選択するようにしたことを特徴とする。
【０００７】
色情報マップ及びイメージ演出色情報マップを、瞳の色別に作成したことを特徴とする。
【００１０】
【発明の実施の形態】
この発明の好ましい実施の形態を、以下に詳細に説明する。この発明は、複数の顔のデータに基づいてコンピュータグラフィックスで平均的な顔立ちと肌色、唇の色および瞳の色を有する平均顔を作成し、この平均顔にポイントメークアップ化粧料を塗布したときの評価を複数人へのアンケートによって求め、その結果を色情報マップに作成して分析し、ポイントメークアップ化粧料を選択するための似合う色の情報及びイメージを演出するための色情報を求めるようにしたことを特徴とする。平均顔は、欧米人種、黒人種、アジア人種等、人種毎に作成し、アンケートも当該人種の人を複数選別して求めた。更に、色情報マップの作成並びにイメージ演出色情報も人種毎に作成した。肌色は、人種毎の測色データの平均値によって一色を決定したが、瞳の色については、欧米人は、瞳の色が大きく異なっているので複数色、例えばブルー、ダークブルー、グリーン、ダークブラウンおよびヘーゼルの五色としたが、アジア人種および黒人種の瞳の色はほぼダークブラウンの一色に特定されるので、ダークブラウンとした。日本人は、アジア人種に含んで考察したが、日本人のみを対象として平均顔を作成し、評価することも可能である。しかしながら、日本人について評価した結果、アジア人に含めて考察可能であることが確認出来たので、本発明ではアジア人に含めている。
【００１１】
平均顔は、モーフィングと称せられる画像を変形させるコンピュータグラフィックスの技術を用いて、ちょうど中間に位置するイメージを使って作成した。図１は平均顔を作成する過程を示し、世界の代表的な顔タイプを各地から取り寄せ、総計６００名の中から選んだ７０名の顔の輪郭、目頭、目尻、口角等の位置５７ポイントを計測し、モーフィング技術で欧米人、アジア人、黒人および日本人の四人種の平均を割り出し、各人種毎に平均顔(１)(２)(３)(４)を作成した。図２は欧米人、アジア人および黒人の平均顔(１)(２)(３)を拡大した図である。肌色は白人２５４名、黒人７４名、アジア人３０９名の測色データの人種毎の平均値を取った。瞳の色に関しては、欧米人はブルー、ブルーグレー、グリーン、ダークブラウンおよびヘーゼルの５色としたが、アジア人および黒人はダークブラウンの１色のみとした。
【００１２】
次に、各人種毎の平均顔にポイントメークアップ化粧料である口紅およびアイシャドーをコンピュータグラフィックス上で塗布し、その画像をコピーした写真をアンケート評価の資料とした。アンケートは、各人種毎に複数人を選択し当該人種毎に行った。実際に実施したアンケートは、欧米人についてはニューヨークとパリにおいて６４名に、アジア人についてはホンコンと日本において９２名に、黒人についてはニューヨークにおいて１０名にそれぞれ実施した。塗布した化粧料の色は、口紅については図３に示す２４色、アイシャドーについては図４に示す１８色とし、これらの色を有する化粧料をそれぞれ平均顔の画像に塗布し写真を作成し、アンケートの資料としてアンケート対象者に見せ、下記のアンケート項目について、各項目に当てはまる写真を選別する方法でアンケートを実施した。
【００１３】
口紅についてのアンケート項目は、１．肌の色が健康に見える、２．肌の色が白く感じる、３．肌の色が黒く感じる、４．肌の色がきれいに見える、５．肌の色が明るく見える、６．口紅の色が目立つ、７．肌の色とのコントラストが強い、８．口紅が肌の色になじんでいる、９．顔全体から受けるイメージがフレッシュでアクティブ、１０．顔全体から受けるイメージがフレッシュでジェントル（穏やか）、１１．顔全体から受けるイメージがエレガントでアクティブ、１２．顔全体から受けるイメージがエレガントでジェントル（穏やか）、１３．顔全体から受けるイメージが美しい、１４．口紅の色が似合っている、１５．顔全体から受けるイメージが魅力的、１６．顔全体から受けるイメージが個性的、１７．顔全体から受けるイメージが好き、の１７項目とし、アンケートでは各項目に当てはまる写真を複数選択すると共に、最も当てはまる写真を選択した。以上の１７項目の内、項目９〜１２はイメージ演出色情報を得るためのものである。
【００１４】
又、アイシャドーについてのアンケート項目は、１．瞳の色が映える、２．瞳の色が薄く感じる、３．瞳の色が濃く感じる、４．瞳に色がきれいに見える、５．瞳の色が明るく見える、６．瞳の色が目立つ、７．瞳の色とのコントラストが強い、８．アイシャドーが瞳の色となじんでいる、９．アイシャドーと瞳のバランスから受けるイメージがフレッシュでアクティブ、１０．アイシャドーと瞳のバランスから受けるイメージがフレッシュでジェントル、１１．アイシャドーと瞳のバランスから受けるイメージがエレガントでアクティブ、１２．アイシャドーと瞳のバランスから受けるイメージがエレガントでジェントル、１３．目元が美しい、１４．アイシャドーが似合っている、１５．目元が魅力的、１６．目元が個性的、１７．顔全体のイメージが好き、の１７項目であり、各項目に当てはまる写真を複数選択すると共に、最も当てはまる写真を選択した。項目９〜１２はイメージ演出色情報を得るためのものである。
【００１５】
以上のアンケート結果をコンピュータを用いて集計、分析して、三人種毎に口紅の似合う色に関する情報データ並びにアイシャドーの似合う色の情報データを求めた。アイシャドーについては、三人種別の似合う色の傾向と瞳の色別の似合う色の傾向並びにアイシャドーのイメージ演出色情報のデータを求めた。図５、６は、三人種別のアンケート結果を横軸を色相、縦軸をトーンとしてグラフ化したイメージマップである。図５は口紅のイメージマップであり、このイメージマップより、似合う色は人種によって相違があり、似合う色が肌の色相と明度の違いが影響しており、一般的には肌色より明度の低いものが似合い、肌色の黄味が強くなると似合う色の色相が限定される傾向にある。欧米人は、幅広い色相、トーンの口紅が似合うのに対し、アジア人は色相が赤みのある色相に限定され、トーンは幅が広い傾向にある。黒人は、アジア人と逆にトーンがディープ、ダーク、グレイッシュに限定され、色相は幅が広い傾向を示している。
【００１６】
図６は、アイシャドーのイメージマップであり、これより似合う色は口紅と同様に人種によって違いがあり、かつ肌色と顔立ちの違いに影響されることが分かった。一般的には、明度の高い肌色ほどに合う色の幅が広くなり、立体的な顔立ちはグラデーション（陰影）効果により幅広い色相が似合う傾向にある。欧米人は色相、トーン共に幅広かったのに対し、アジア人はトーンの幅は広いが色相が青、ブラウンに限定される。黒人は、色相が青、ブラウンに、トーンがビビッド、モデレードに限定される傾向にある。図６の欧米人のイメージマップは瞳の色５色のアンケート評価を合算して表したが、瞳の色毎の似合う色情報を個別に表したものが、図７〜９のイメージマップである。これより、アイシャドーの似合う色は、同一人種（白人種）でも、瞳の色によって異なっていることが分かった。瞳の色と同系色のみを好む層と、反対色と同系色の両方をを好む層とが見られた。色彩学的には、同系色の組合せは落ち着きがあり、上品と評価されるのに対し、反対色の組合せは、明快で、はっきりしたと評価される。５つの瞳の色に関するアイシャドーの似合う色の情報は、ブルー、ブルーグレーと、グリーン、ヘーゼル及びダークブラウンの３つのグループに大別された。
【００１７】
図１０は、アイシャドーの人種別におけるイメージ演出色情報をまとめて図表に表したものであり、ブルー、グリーン、イエロー、ローズ及び落ち着いたトーンのそれぞれのアイシャドーが醸し出すイメージが人種によってどのように異なっているかを見たものである。図表の縦軸はフレッシュ−エレガント軸で構成され、上部にフレッシュの、下部にエレガントのイメージが配置される。横軸はアクティブ−ジェントル軸で構成され、右側にジェントルの、左側にアクティブのイメージがそれぞれ位置付けられている。この図表より、アイシャドーの色によってもたらされるイメージは、人種別にイメージの傾向に差が見られ、肌色の違いが影響していることが分かった。一般的には肌色の明度が下がるとフレッシュの方向にイメージが強まる傾向を示し、色のイメージの差が小さくなっている。欧米人はアイシャドーの色によってもたらされるイメージが広い範囲に分散しており、アイシャドーの色によってイメージが演出しやすいことが分かる。アジア人は、イエロー、グリーンはグラフの中心に集まっており、色によってイメージが固定していないため、どんな色でも使えることが分かる。黒人は、大半の色がフレッシュのイメージを示し、横軸のアクティブ−ジェントルの広がりは見られず、アイシャドーで演出できるイメージが限定されることが分かる。
【００１８】
更に、瞳の色別のアイシャドーによってもたらされるイメージを図１１についてみると、イメージ演出色は同一人種でも瞳の色によって異なっており、瞳の色と同系色はエレガントでフェミニンなイメージをもたらすの対し、瞳の色と反対色はフレッシュでキュートなイメージを醸し出している。そしてこのイメージ演出色の傾向は、似合う色の傾向と同様に、ブルー、ブルーグレーと、グリーン、ヘーゼルと、ダークブラウンの３つのグループに大別される。
【００１９】
【発明の効果】
この発明によれば、人種による顔立ち、肌の色、瞳の色に対応して、ポイントメークアップ化粧料の似合う色及びイメージを演出するための色を容易に選択することが出来る。
【図面の簡単な説明】
【図１】平均顔を作出するためのプロセスを示す図
【図２】三人種の平均顔を示す図
【図３】口紅の色選択図
【図４】アイシャドーの色選択図
【図５】口紅の似合う色情報マップ
【図６】アイシャドーの似合う色情報マップ
【図７】アイシャドーの瞳の色別似合う色情報マップ
【図８】アイシャドーの瞳の色別似合う色情報マップ
【図９】アイシャドーの瞳の色別似合う色情報マップ
【図１０】アイシャドーの人種別イメージ演出色情報マップ
【図１１】アイシャドーの瞳の色別イメージ演出情報マップ
【図１】
0004396873.tif 000002
【図２】
0004396873.tif 000003
【図３】
0004396873.tif 000004
【図４】
0004396873.tif 000005
【図５】
0004396873.tif 000006
【図６】
0004396873.tif 000007
【図７】
0004396873.tif 000008
【図８】
0004396873.tif 000009
【図９】
0004396873.tif 000010
【図１０】
0004396873.tif 000011
【図１１】
0004396873.tif 000012